(57)【要約】【課題】特定の貯蔵室の上下にこの特定の貯蔵室よりも設定温度帯が低い貯蔵室が上下にそれぞれ配置されたものにおいて、特定の貯蔵室の温度調整を行いやすくすることができる冷蔵庫を提供することを目的としている。【解決手段】冷蔵庫筐体内に設けられた冷却器と、冷蔵庫筐体内に形成され、冷却器が設けられた冷却器室と、冷蔵庫筐体内に形成され、冷却器室と第１の貯蔵室及び第３の貯蔵室とを連通する冷却風路と、冷却風路又は冷却器室に設けられ、冷却器で冷却された空気を第１の貯蔵室及び第３の貯蔵室へ供給する第１の冷却ファンと、第２の貯蔵室に設けられ、第２の貯蔵室内の空気を循環させる第２の冷却ファンと、を備え、第２の貯蔵室は、第１の貯蔵室及び第３の貯蔵室よりも設定温度帯が高くなっており、第２の貯蔵室の空気が、第１の仕切部材のうちの第２の貯蔵室に臨む面によって冷却されるように構成されているものである。【選択図】図２
2018009730.tif 000002
【特許請求の範囲】
【請求項１】
第１の貯蔵室、前記第１の貯蔵室に隣接して配置された第２の貯蔵室、及び前記第２の貯蔵室に隣接して配置された第３の貯蔵室が形成された冷蔵庫筐体と、
前記冷蔵庫筐体に設けられ、前記第１の貯蔵室と前記第２の貯蔵室とを区画する第１の仕切部材と、
前記冷蔵庫筐体に設けられ、前記第２の貯蔵室と前記第３の貯蔵室とを区画する第２の仕切部材と、
前記冷蔵庫筐体内に設けられた冷却器と、
前記冷蔵庫筐体内に形成され、前記冷却器が設けられた冷却器室と、
前記冷蔵庫筐体内に形成され、前記冷却器室と前記第１の貯蔵室及び前記第３の貯蔵室とを連通する冷却風路と、
前記冷却風路又は前記冷却器室に設けられ、前記冷却器で冷却された空気を前記第１の貯蔵室及び前記第３の貯蔵室へ供給する第１の冷却ファンと、
前記第２の貯蔵室に設けられ、前記第２の貯蔵室内の空気を循環させる第２の冷却ファンと、
を備え、
前記第２の貯蔵室は、
前記第１の貯蔵室及び前記第３の貯蔵室よりも設定温度帯が高くなっており、
前記第２の貯蔵室の空気が、前記第１の仕切部材のうちの前記第２の貯蔵室に臨む面によって冷却されるように構成されている
冷蔵庫。
【請求項２】
前記第２の貯蔵室は、
前記第２の冷却ファンを通過した空気が前記第１の仕切部材に当たるように構成されている
請求項１に記載の冷蔵庫。
【請求項３】
前記第２の貯蔵室内に形成され、前記第１の仕切部材に対向する風路部材を備え、
前記風路部材は、
前記第２の貯蔵室の奥側に設けられ、前記第２の冷却ファンが設けられた第１の部材と、
奥側の端部が前記第１の部材に接続され、前記第２の貯蔵室の奥側から手前側に向かうにしたがって前記第１の仕切部材に近づくように傾斜している第２の部材とを含む
請求項２に記載の冷蔵庫。
【請求項４】
前記風路部材は、
前記第１の仕切部材に平行に形成され、前記第２の部材の手前側の端部に接続された第３の部材を含む
請求項３に記載の冷蔵庫。
【請求項５】
前記第２の貯蔵室内に形成され、前記第１の仕切部材に対向する第１の風路部材と、
前記第２の貯蔵室内に形成され、前記第２の貯蔵室の奥面に対向する第２の風路部材とを備え、
前記第２の貯蔵室は、
前記第１の風路部材と前記第１の仕切部材との間に形成され、前記第２の冷却ファンを通過した一部の空気が流れる第１の風路と、
前記第２の風路部材と前記第２の貯蔵室の奥面との間に形成され、前記第２の冷却ファンを通過した他部の空気が流れる第２の風路とが形成されている
請求項１に記載の冷蔵庫。
【請求項６】
前記第２の貯蔵室内に設けられ、前記第１の風路を開閉するダンパーを備えた
請求項５に記載の冷蔵庫。
【請求項７】
前記冷却器は、
前記第１の冷却器及び前記第２の冷却器を含み、
前記冷却器室は、
前記第１の冷却器が設けられ、前記第２の貯蔵室の上側に配置された第１の冷却器室と、
前記第２の冷却器が設けられ、前記第２の貯蔵室の下側に配置された第２の冷却器室とを含み、
前記冷却風路は、
前記冷却器室と前記第１の貯蔵室とを連通する第１の冷却風路と、
前記冷却器室と前記第３の貯蔵室とを連通し、前記第１の冷却風路とは独立している第２の冷却風路とを含み、
前記第１の冷却ファンは、
前記第１の冷却風路又は前記第１の冷却器室に設けられ、前記第１の冷却器で冷却された空気を前記第１の貯蔵室へ供給する上側冷却ファンと、
前記第２の冷却風路又は前記第２の冷却器室に設けられ、前記第２の冷却器で冷却された空気を前記第２の貯蔵室へ供給する下側冷却ファンとを含み、
前記第２の冷却器は、
前記第２の仕切部材と前記第３の貯蔵室との間に配置され、
前記冷蔵庫筐体には、
前記第２の仕切部材内に、真空断熱材が設けられている
請求項１〜６のいずれか一項に記載の冷蔵庫。
【請求項８】
前記第１の貯蔵室は、
前記第３の貯蔵室よりも設定温度帯が高く、
前記第１の仕切部材は、
前記第２の仕切部材よりも厚みが薄く構成されている
請求項１〜７のいずれか一項に記載の冷蔵庫。
【請求項９】
前記冷蔵庫筐体は、
前記第２の貯蔵室の奥面部、前記第２の貯蔵室の一方の側面部、及び前記第２の貯蔵室の他方の側面部のそれぞれに、真空断熱材が設けられている
請求項１〜８のいずれか一項に記載の冷蔵庫。
【請求項１０】
前記第１の仕切部材及び前記第２の仕切部材は、
樹脂で構成されている
請求項１〜９のいずれか一項に記載の冷蔵庫。
【発明の詳細な説明】
【技術分野】
【０００１】
本発明は、冷蔵庫に関し、特に、野菜等を貯蔵する貯蔵室を備えた冷蔵庫に関するものである。
【背景技術】
【０００２】
冷蔵庫には、貯蔵品を貯蔵する複数の貯蔵室が形成され、各貯蔵室の温度は、各貯蔵室の貯蔵品に応じて設定されている。例えば、冷凍室よりも冷蔵室の方が設定温度は低く、冷蔵室よりも野菜室の方が設定温度は低い。つまり、設定温度は、低い方から野菜室、冷蔵室、冷凍室である。
【０００３】
ところで、冷凍室を冷蔵庫筐体の高さ方向に中間部に配置した冷蔵庫（以下、ＭＩＤ−Ｆ構成の冷蔵庫とも称する）も各種提案されている。その一方で、野菜室はユーザーの使用頻度が比較的高いことから、利便性を考慮し、冷蔵庫筐体の高さ方向の中間部に野菜室を配置した冷蔵庫（以下、ＭＩＤ−Ｖ構成の冷蔵庫とも称する）も提案されている（例えば、特許文献１参照）。
【０００４】
特許文献１に記載のＭＩＤ−Ｖ構成の冷蔵庫は、野菜室を中間部に配置し、その上下に、例えば、冷蔵室及び冷凍室をそれぞれ配置する構成となる。特許文献１の冷蔵庫は、冷蔵室を流れた冷気を野菜室に供給して野菜室を冷却し、また、冷凍室から野菜室への冷熱の伝達によって野菜室の温度が下がりすぎることを避けるため、室同士を区画する仕切板の厚みを確保し、冷凍室と野菜室との間の断熱性能を向上させている。
【先行技術文献】
【特許文献】
【０００５】
【特許文献１】特許第２９１３２８４号公報
【発明の概要】
【発明が解決しようとする課題】
【０００６】
特定の貯蔵室の上下にこの特定の貯蔵室よりも設定温度帯が低い貯蔵室が上下にそれぞれ配置された従来の冷蔵庫では、特定の貯蔵室の上の貯蔵室（例えば、冷蔵室）を流れた冷気が、直に特定の貯蔵室（例えば、野菜室）に流れ込む構成であり、特定の貯蔵室が冷えすぎる等の温度調整に関する課題がある。
【０００７】
本発明は、上記のような課題を解決するためになされたもので、特定の貯蔵室の上下にこの特定の貯蔵室よりも設定温度帯が低い貯蔵室が上下にそれぞれ配置されたものにおいて、特定の貯蔵室の温度調整を行いやすくすることができる冷蔵庫を提供することを目的としている。
【課題を解決するための手段】
【０００８】
本発明に係る冷蔵庫は、第１の貯蔵室、第１の貯蔵室に隣接して配置された第２の貯蔵室、及び第２の貯蔵室に隣接して配置された第３の貯蔵室が形成された冷蔵庫筐体と、冷蔵庫筐体に設けられ、第１の貯蔵室と第２の貯蔵室とを区画する第１の仕切部材と、冷蔵庫筐体に設けられ、第２の貯蔵室と第３の貯蔵室とを区画する第２の仕切部材と、冷蔵庫筐体内に設けられた冷却器と、冷蔵庫筐体内に形成され、冷却器が設けられた冷却器室と、冷蔵庫筐体内に形成され、冷却器室と第１の貯蔵室及び第３の貯蔵室とを連通する冷却風路と、冷却風路又は冷却器室に設けられ、冷却器で冷却された空気を第１の貯蔵室及び第３の貯蔵室へ供給する第１の冷却ファンと、第２の貯蔵室に設けられ、第２の貯蔵室内の空気を循環させる第２の冷却ファンと、を備え、第２の貯蔵室は、第１の貯蔵室及び第３の貯蔵室よりも設定温度帯が高くなっており、第２の貯蔵室の空気が、第１の仕切部材のうちの第２の貯蔵室に臨む面によって冷却されるように構成されているものである。
【発明の効果】
【０００９】
本発明に係る冷蔵庫によれば、第２の貯蔵室が、冷却器室と連通していない、いわゆるダクトレス構成となっており、第２の貯蔵室以外の貯蔵室から冷気が、直に第２の貯蔵室へ流入し、第２の貯蔵室が冷えすぎることを抑制することができる。また、本発明に係る冷蔵庫によれば、第２の貯蔵室には第２の冷却ファンが設けられているので、第２の貯蔵室内の空気を撹拌し、第２の貯蔵室の温度維持又は温度低下を実現できる。
このように、本発明に係る冷蔵庫によれば、第２の貯蔵室の冷えすぎを抑制することができるだけでなく、第２の貯蔵室の温度維持又は温度低下も実現することができ、第２の貯蔵室の温度調整を行いやすくなっている。
【図面の簡単な説明】
【００１０】
【図１】本発明の実施の形態１に係る冷蔵庫の正面図である。
【図２】図１に示すＡ−Ａ断面図である。
【図３】図２に示すＢ−Ｂ断面図である。
【図４】図２に示すＣ−Ｃ断面図である。
【図５】本発明の実施の形態１に係る冷蔵庫の冷媒回路構成図である。
【図６】本発明の実施の形態１に係る冷蔵庫が備える制御装置のブロック図である。
【図７】本発明の実施の形態２に係る冷蔵庫の断面図である。
【図８】本発明の実施の形態２に係る冷蔵庫が備える制御装置のブロック図である。
【図９】本発明の実施の形態３に係る冷蔵庫の断面図である。
【図１０】本発明の実施の形態３に係る冷蔵庫が備える制御装置のブロック図である。
【発明を実施するための形態】
【００１１】
以下、図面を適宜参照しながら本発明の実施の形態について説明する。なお、図１を含め、以下の図面では各構成部材の大きさの関係が実際のものとは異なる場合がある。また、図１を含め、以下の図面において、同一の符号を付したものは、同一又はこれに相当するものであり、このことは明細書の全文において共通することとする。さらに、明細書全文に表わされている構成要素の形態は、あくまでも例示であって、これらの記載に限定されるものではない。
【００１２】
実施の形態１．
図１は、本実施の形態１に係る冷蔵庫１００の正面図である。
図２は、図１に示すＡ−Ａ断面図である。
図３は、図２に示すＢ−Ｂ断面図である。
図４は、図２に示すＣ−Ｃ断面図である。
【００１３】
［全体構成の説明］
冷蔵庫１００は、略直方体の形状の冷蔵庫筐体１００Ａを備えている。冷蔵庫筐体１００Ａ内部は仕切板７Ａ〜７Ｃによって仕切られて、例えば、冷蔵室１、製氷室２、切替室３、野菜室４、及び冷凍室５が形成される。なお、以下ではこれらの部屋を総称して単に貯蔵室と称することがある。野菜室４は、製氷室２及び切替室３に隣接するとともに、冷凍室５に隣接している。
【００１４】
各貯蔵室の前方は開口し、当該開口には、この開口を開閉可能に閉塞する扉が設けられている。詳しくは、冷蔵室１の前方開口には冷蔵室左扉１ａ及び冷蔵室右扉１ｂが取り付けられ、製氷室２の前方開口には製氷室扉２ａが取り付けられ、切替室３の前方開口には切替室扉３ａが取り付けられ、野菜室４の前方開口には野菜室扉４ａが取り付けられ、冷凍室５の前方開口には冷凍室扉５ａが取り付けられている。扉の前面には、例えば取手（図示省略）が取り付けられている。
【００１５】
冷蔵室１は、冷蔵庫１００内の最上段に設けられた貯蔵室であり、内部が冷蔵温度帯に維持される貯蔵室であって冷凍室５の温度帯に比べて高い。製氷室２及び切替室３は、冷蔵室１の下方に横並びに設けられた貯蔵室であり、内部が冷凍温度帯に維持される貯蔵室である。切替室３は、チルド及びソフト冷凍温度に切替可能となっている。野菜室４は、製氷室２及び切替室３の下方に設けられた貯蔵室である。野菜室４は、冷蔵室１と同様に内部が冷蔵温度帯に維持される貯蔵室であるが、冷蔵室１と比べると温度が高めである。冷凍室５は、野菜室４の下方に設けられた貯蔵室であり、内部が冷凍温度帯に維持され、冷蔵室１の温度帯に比べて低い。なお、製氷室２と切替室３の位置は反対であってもよい。
【００１６】
各貯蔵室は、設定可能な温度帯（設定温度帯）によって区別されており、例えば、冷蔵室１は約０℃〜４℃、野菜室４は約３℃〜１０℃、製氷室２は約−１８℃、冷凍室５は約−１６℃〜−２２℃にそれぞれ設定可能となっている。また、切替室３は、チルド（約０℃）やソフト冷凍（約−７℃）等の温度帯に切り替えることが可能である。このように、野菜室４の設定温度帯は、製氷室２、切替室３及び冷凍室５より低い温度帯となるように設定されている。なお、各貯蔵室の設定温度はこれに限るものではない。
【００１７】
冷蔵室左扉１ａには、冷蔵室１、切替室３、野菜室４、冷凍室５の設定温度を調節する操作パネル１２が取り付けられている。なお、操作パネル１２の配置場所は冷蔵室左扉１ａに限定されるものではなく、例えば冷蔵室１内に配置されていてもよい。
【００１８】
冷蔵庫筐体１００Ａは、冷蔵庫筐体１００Ａの内壁を形成する内箱９と、冷蔵庫筐体１００Ａの外郭を形成する外箱１０とを備える。内箱９と外箱１０との間には真空断熱材が設けられている。詳しくは、冷蔵庫筐体１００Ａの天井に天井部真空断熱材１４ａが設けられ、冷蔵庫筐体１００Ａの左側面に真空断熱材１４ｂが設けられ、冷蔵庫筐体１００Ａの右側面に真空断熱材１４ｃが設けられ、冷蔵庫筐体１００Ａの背面に真空断熱材１４ｄが設けられている。また、冷蔵庫筐体１００Ａの内箱９と外箱１０との間には、発泡ウレタン等で構成される断熱材が充填されている。
【００１９】
仕切板７Ａ〜７Ｃは板状部材であり、樹脂で構成されている。仕切板７Ａは冷蔵庫筐体１００Ａに設けられ、冷蔵室１と製氷室２及び切替室３とを区画する。仕切板７Ｂは、冷蔵庫筐体１００Ａに設けられ、製氷室２及び切替室３と野菜室４とを区画する。仕切板７Ｃは、冷蔵庫筐体１００Ａに設けられ、野菜室４と冷凍室５とを区画する。
仕切板７Ｂには真空断熱材及び発泡ウレタンが配置されておらず、製氷室２及び切替室３の冷熱が野菜室４に伝達しやすくなっている。仕切板７Ｃにも真空断熱材及び発泡ウレタンが配置されておらず、冷凍室５の冷熱が野菜室４に伝達しやすくなっている。なお、製氷室２及び切替室３から野菜室４への冷熱の供給量が、冷凍室５から野菜室４への冷熱の供給量よりも相対的に大きくなりやすい。このため、冷凍室５から野菜室４への冷熱の供給により野菜室４が冷えすぎないように、仕切板７Ｃの厚みをある程度確保するとよい。例えば、仕切板７Ｃは、仕切板７Ｂよりも厚みが厚くなっているとよい。言い換えると、仕切板７Ｂは、仕切板７Ｃよりも厚みが薄くなっているとよい。
【００２０】
なお、冷蔵室１、製氷室２及び切替室３のうちの少なくとも一つが本発明における第１の貯蔵室に対応している。また、野菜室４が本発明における第２の貯蔵室に対応している。更に、冷凍室５が本発明における第３の貯蔵室に対応している。仕切板７Ｂが本発明における第１の仕切部材に対応し、仕切板７Ｃが本発明における第２の仕切板に対応している。本実施の形態１では、第１の貯蔵室の説明として、製氷室２の構成を中心に説明するが、切替室３についても同様に適用することができる。
【００２１】
冷蔵庫１００は、冷蔵庫筐体１００Ａ内に設けられた冷却器２７及び冷却器２８を備えている。また、冷蔵庫１００は、冷蔵庫筐体１００Ａ内に形成され、冷却器２７が設けられた冷却器室ＲＭ１と、冷蔵庫筐体１００Ａ内に形成され、冷却器２８が設けられた冷却器室ＲＭ２とを備えている。冷却器室ＲＭ１は例えば野菜室４の上側に配置され、冷却器室ＲＭ２は例えば野菜室４の下側に配置される。
冷蔵庫１００は、冷却器室ＲＭ２と冷凍室５とを区画する壁面部５Ａを備えている。壁面部５Ａは、冷凍室５の奥側に形成され、冷凍室５の奥面を構成している。
【００２２】
冷蔵庫１００には、冷却風路Ｒ１〜Ｒ７が形成されている。冷却風路Ｒ１〜Ｒ７は冷却器で冷却された冷気が流れる風路である。なお、冷却風路Ｒ１〜Ｒ７のいずれも、野菜室４には連通しておらず、冷蔵庫１００の野菜室４はダクトレス構成となっている。
冷却風路Ｒ１は、冷却器室ＲＭ１と冷蔵室１とを連通する風路である。冷却風路Ｒ１を流れた冷気は、冷蔵室１の奥側の壁面部１Ｂに形成された開口部１Ａより冷蔵室１に流出する。壁面部１Ｂは冷蔵室１と冷却風路Ｒ１とを区画する。冷却風路Ｒ２は、冷蔵室１と冷却器室ＲＭ１とを連通する風路である。冷蔵室１内の冷気は、冷却風路Ｒ２を通って冷却器室ＲＭ１へ戻る。
冷却風路Ｒ３は、冷却器室ＲＭ１と製氷室２とを連通する風路である。冷却風路Ｒ３を流れた冷気は製氷室２へ流出する。冷却風路Ｒ４は、製氷室２と冷却器室ＲＭ１とを連通する風路である。製氷室２の冷気は、冷却風路Ｒ４を通って冷却器室ＲＭ１へ戻る。
冷却風路Ｒ５は野菜室４内に形成されている風路である。冷却風路Ｒ５の構成は後段で詳しく説明する。
冷却風路Ｒ６は、冷却器室ＲＭ２と冷凍室５とを連通する風路である。冷却風路Ｒ６を流れた冷気は冷凍室５へ流出する。冷却風路Ｒ７は、冷凍室５と冷却器室ＲＭ２とを連通する風路である。
なお、ここでは説明をしていないが、切替室３にも冷却器室ＲＭ１と連通する冷気供給用の風路及び戻り冷気が流れる風路が形成されている。
【００２３】
なお、冷却器２７及び冷却器２８が本発明における冷却器に対応している。また、冷却器室ＲＭ１及び冷却器室ＲＭ２が本発明における冷却室に対応している。更に、冷却風路Ｒ３及び冷却風路Ｒ４と冷却風路Ｒ６及び冷却風路Ｒ７とが本発明における冷却風路に対応している。
【００２４】
冷蔵庫１００には、冷却風路Ｒ１〜Ｒ４又は冷却器室ＲＭ１に設けられ、冷却器２７で冷却された空気を冷蔵室１、製氷室２及び切替室３へ供給する冷却ファン５１が設けられている。本実施の形態１では、冷却ファン５１は、冷却器室ＲＭ１に設けられている。
また、冷蔵庫１００には、冷却風路Ｒ６、Ｒ７又は冷却器室ＲＭ２に設けられ、冷却器２８で冷却された空気を冷凍室５へ供給する冷却ファン５２が設けられている。本実施の形態１では、冷却ファン５２は、冷却器室ＲＭ２に設けられている。冷却ファン５１及び冷却ファン５２が本発明における第１の冷却ファンに対応している。
【００２５】
冷蔵庫１００の底部には、圧縮機２１等が配置された機械室Ｒが設けられている。
また、冷蔵庫１００には、冷却風路Ｒ１を開閉するダンパーＤ１と、冷却風路Ｒ２を開閉するダンパーＤ２とを備えている。なお、図示は省略しているが、切替室３に連通する風路にも、同様にダンパーが備えられている。
【００２６】
冷蔵庫１００には、冷蔵室１の温度を検出する温度センサｄ１と、製氷室２の温度を検出する温度センサｄ２と、切替室３の温度を検出する温度センサ（図示省略）と、野菜室４の温度を検出する温度センサｄ３と、冷凍室５の温度を検出する温度センサｄ４とを備えている。
また、冷蔵庫１００は、温度センサｄ１〜ｄ４の検出温度に基づいて、圧縮機２１等を統括制御する制御装置５０が設けられている。制御装置５０は、例えば、冷蔵庫筐体１００Ａの背面側上部に配置されている。
【００２７】
［野菜室４の詳細構成］
野菜室４は、図３に示すように、仕切板７Ｂを介して製氷室２から冷熱Ｑ１を受け取り、仕切板７Ｂを介して切替室３から冷熱Ｑ２を受け取り、仕切板７Ｃを介して冷凍室５から冷熱Ｑ３を受け取る。つまり、野菜室４は、冷却器２７又は冷却器２８から直に冷風が供給されず、他の室の冷熱Ｑ１〜Ｑ３を受け取って間接的に冷却される。つまり、野菜室４は、野菜室４に臨む仕切板７Ｂの低温面ＬＴＰ１と、野菜室４に臨む仕切板７Ｃの低温面ＬＴＰ２とにより冷却されるように構成されている。ここで、仕切板７Ｂの低温面ＬＴＰ１とは、仕切部材７Ｂのうちの野菜室４に面する下面に対応している。また、仕切板７Ｃの低温面ＬＴＰ２とは、仕切部材７Ｃのうちの野菜室４に面する上面に対応している。
また、図４に示すように、野菜室４の奥面部４Ｆ１には真空断熱材１４ｄが設けられ、野菜室４の一方の側面部４Ｆ２には真空断熱材１４ｂが設けられ、野菜室４の他方の側面部４Ｆ３には真空断熱材１４ｃが設けられている。これにより、野菜室４の冷熱が冷蔵庫１００の外側に漏洩することを抑制することができるようになっている。なお、野菜室４の下部（仕切板７Ｃ）及び上部（仕切板７Ｂ）には真空断熱材が配置されておらず、他の室の冷熱が供給されやすくなっている。
【００２８】
野菜室４には、野菜室４内の空気を循環させる冷却ファン４Ｂが設けられている。例えば、野菜室４の温度が上昇したと判定された場合には、冷却ファン４Ｂが運転し、野菜室４内の空気を撹拌して野菜室４の温度を均一化し、温度を下げる。つまり、野菜室４内において、仕切板７Ｂ及び仕切板７Ｃの表面側の空気は冷えやすいので、この空気を野菜室４の全体に撹拌することで、野菜室４の温度を下げることができる。冷却ファン４Ｂが本発明における第２の冷却ファンに対応している。
【００２９】
野菜室４は、冷却ファン４Ｂを通過した空気が仕切板７Ｂの下面に当たるように構成されている。具体的には次の構成を備えている。
野菜室４には、野菜室４内の上部に形成され、仕切板７Ｂの下面に対向する風路部材４Ａが設けられている。風路部材４Ａと仕切板７Ｂとの間には冷却風路Ｒ５が形成されている。冷却風路Ｒ５は、冷気の入口としての冷気流入口４Ｃ及び冷気の出口としての冷気流出口４Ｄを含む。
【００３０】
風路部材４Ａは、第１の部材４Ａ１と、第２の部材４Ａ２と、第３の部材４Ａ３とを含む。第１の部材４Ａ１は、野菜室４の奥側に設けられ、冷却ファン４Ｂが設けられている。第２の部材４Ａ２は、野菜室４の奥側から手前側に向かうにしたがって仕切板７Ｂの下面に近づくように形成されている。具体的には、第２の部材４Ａ２は、野菜室４の奥側から手前側に向かうにしたがって上側に傾斜している。また、第２の部材４Ａ２は、下端部が第１の部材４Ａ１に接続されている。第２の部材４Ａ２が設けられていることにより、冷却ファン４Ｂを通過した空気が冷たい仕切板７Ｂの下面に向かって流れることになり、製氷室２及び切替室３から野菜室４への冷熱の供給がより促進される。つまり、第２の部材４Ａ２が設けられていない場合よりも、設けられている場合の方が、冷熱の伝熱面である仕切板７Ｂの下面に沿う空気の流れが形成されやすく、より効率的に野菜室４内の空気を冷却することができる。
【００３１】
なお、ここでは、風路部材４Ａが傾斜した形状を有する、すなわち、風路部材４Ａが第２の部材４Ａ２を含む場合を一例として説明したがそれに限定されるものではない。例えば、冷却ファン４Ｂは、冷却ファン４Ｂのファンの軸方向が仕切板７Ｂの下面と交差するように配置されていてもよい。これにより、冷却ファン４Ｂを通過した空気は仕切板７Ｂの下面に衝突するように流れるので、製氷室２及び切替室３から野菜室４への冷熱の供給がより促進される。この場合には、風路部材４Ａが傾斜した形状を有していなくてもよい。
【００３２】
第３の部材４Ａ３は、仕切板７Ｂの下面に平行に形成され、第２の部材４Ａ２の上端部に接続されている。第３の部材４Ａ３の前端は、野菜室４の上部の前側に位置している。第３の部材４Ａ３の前端まで送り込まれた冷気は、野菜室４に形成された冷気流出口４Ｄを通過する。そして、冷気流出口４Ｄを通過した冷気は、冷気流入口４Ｃを介して、再び、冷却風路Ｒ５に流入する。第３の部材４Ａ３が形成されていることにより、野菜室４により大きな対流を形成することができ、より高効率に野菜室４内の空気を撹拌し、野菜室４の温度を下げることができる。また、第３の部材４Ａ３が形成されていることにより、冷熱の伝熱面である仕切板７Ｂの下面に冷気が沿いやすくなり、より効率的に野菜室４内の空気を冷却できる。
【００３３】
［冷蔵庫１００の冷媒回路構成］
図５は、本実施の形態１に係る冷蔵庫１００の冷媒回路構成図である。
冷蔵庫１００は冷媒回路ＲＣを備えている。冷媒回路ＲＣは、圧縮機２１と、凝縮器２２と、凝縮パイプ２３と、キャビネットパイプ２４と、キャピラリーチューブ２５と、三方弁２６と、冷却器２７と、冷却器２８と、吸入管２９とを含む。なお、凝縮パイプ２３及びキャビネットパイプ２４は、例えば、冷蔵庫筐体１００Ａの側面部等に引き回されるように配置されたものであり、結露防止の機能を果たす。キャピラリーチューブ２５と吸入管２９とが熱交換できるように構成されている。
三方弁２６は、キャピラリーチューブ２５と冷却器２７とを接続する第１の流路と、キャピラリーチューブ２５と冷却器２８とを接続する第２の流路とを含み、これらの流路を切替自在となっている。第１の流路に切り替えられた場合には、キャピラリーチューブ２５を通過した冷媒は、冷却器２７及び冷却器２８を流れる。一方、第２の流路に切り替えられた場合には、キャピラリーチューブ２５を通過した冷媒は、冷却器２７をバイパスして冷却器２８を流れる。
【００３４】
［制御装置５０の構成］
図６は、本実施の形態１に係る冷蔵庫１００が備える制御装置５０のブロック図である。
制御装置５０は、温度センサｄ１〜ｄ４等の検出温度に基づいて、冷却ファン５１、冷却ファン５２、冷却ファン４Ｂ、圧縮機２１、ダンパーＤ１、ダンパーＤ２及び三方弁２６等を統括制御する。
【００３５】
制御装置５０は、各種アクチュエータを制御するアクチュエータ制御部５０Ａと、各室の温度等に基づいた判定を行う判定部５０Ｂとを備えている。例えば、制御装置５０の判定部５０Ｂは、温度センサｄ３の検出温度が予め定められた第１の温度よりも高くなったと判定すると、制御装置５０のアクチュエータ制御部５０Ａは、冷却ファン４Ｂを運転する。また、制御装置５０の判定部５０Ｂは、温度センサｄ３の検出温度が予め定められた第２の温度よりも以下であると判定すると、制御装置５０のアクチュエータ制御部５０Ａは冷却ファン４Ｂを停止する。なお、このようなＯＮ、ＯＦＦ制御に限定されるものではない。制御装置５０は、温度センサｄ３の検出温度に応じた運転回転数が予め複数設定されていてもよい。
【００３６】
制御装置５０に含まれる各機能部は、専用のハードウェア、またはメモリに格納されるプログラムを実行するＭＰＵ（Micro Processing Unit）で構成される。制御装置５０が専用のハードウェアである場合、制御装置５０は、例えば、単一回路、複合回路、ＡＳＩＣ（application specific integrated circuit）、ＦＰＧＡ（field-programmable gate array）、またはこれらを組み合わせたものが該当する。制御装置５０が実現する各機能部のそれぞれを、個別のハードウェアで実現してもよいし、各機能部を一つのハードウェアで実現してもよい。制御装置５０がＭＰＵの場合、制御装置５０が実行する各機能は、ソフトウェア、ファームウェア、またはソフトウェアとファームウェアとの組み合わせにより実現される。ソフトウェアやファームウェアはプログラムとして記述され、メモリに格納される。ＭＰＵは、メモリに格納されたプログラムを読み出して実行することにより、制御装置５０の各機能を実現する。メモリは、例えば、ＲＡＭ、ＲＯＭ、フラッシュメモリ、ＥＰＲＯＭ、ＥＥＰＲＯＭ等の、不揮発性または揮発性の半導体メモリである。
【００３７】
［実施の形態１に係る冷蔵庫１００の有する効果］
冷蔵庫１００は、野菜室４の上下にこの野菜室４よりも設定温度帯が低い貯蔵室が上下にそれぞれ配置された、ＭＩＤ−Ｖ構成の冷蔵庫である。ＭＩＤ−Ｖ構成の冷蔵庫は、一般的には、野菜室が冷えすぎないように上下の室との断熱を図るため、野菜室の上下の仕切板の厚みを大きく設定している。このため、死容積が増大してしまい、容積率が低下してしまう傾向にある。しかし、本実施の形態に係る冷蔵庫１００では、野菜室４をダクトレス構成とする代わりに、野菜室４の上下の仕切板７Ｂ及び仕切板７Ｃを介して伝達される冷熱を利用して野菜室４の冷却を行う。このため、仕切板７Ｂ及び仕切板７Ｃの厚みを薄く設定することとなり、死容積が低減して容積率を向上させることができる。
【００３８】
ところで、室同士を区画する仕切板の厚みを増大させることを避けながら、野菜室４の温度が設定温度より下がってしまうことを抑制する手段として、野菜室４にヒーターを設けるという手段がある。しかし、この手段では、ヒーターの分の電力消費量が増大してしまい、省エネルギー性が損なわれてしまう。本実施の形態に係る冷蔵庫１００は、野菜室４をダクトレス構成としており、野菜室４が冷えすぎてしまうことを避けることができるので、このようなヒーターは不要である。
【００３９】
本実施の形態に係る冷蔵庫１００は、冷却器２７を通過した空気が野菜室４に供給されないダクトレス構成となっており、野菜室４が冷えすぎることを抑制することができる。また、本実施の形態に係る冷蔵庫１００は、野菜室４が冷却不足とならないように、野菜室４内の空気の撹拌用の冷却ファン４Ｂが設けられている。すなわち、野菜室４はダクトレス構成であるが、野菜室４の温度維持又は温度低下を実現することができる。このように、本実施の形態に係る冷蔵庫１００は、野菜室４の温度調整を行いやすくなっている。
【００４０】
なお、冷却ファン４Ｂを運転すると、野菜室４を冷却することができる理由について補足をする。野菜室４と隣接する室のうち、製氷室２は設定温度の変化がなく一定温度である。つまり、野菜室４に供給される冷熱のうち、製氷室２からのものはばらつきにくいということである。ここで、冷蔵庫１００内への伝熱量Ｑは、Ｑ＝熱伝達率ｋ×伝熱面面積Ａ×（伝熱面温度Ｔｗ−庫内温度Ｔｖ）の関係がある。野菜室４の目標温度がある値Ｔｖであるとする。また、野菜室４と製氷室２との伝熱面面積Ａは一定である。更に、製氷室２の伝熱面温度Ｔｗも、上述の通り、設定温度の変化がないことから概ね一定と考えることができる。したがって、熱伝達率ｋの変化だけで伝熱量Ｑを制御することができる。ここで、熱伝達率ｋは冷却ファン４Ｂの風量の関数で表される。このため、冷却ファン４Ｂの回転数を上げると風量が増え、熱伝達率ｋが向上し、伝熱量Ｑも増大する（図３のＱ１の値が増大する）。このように、冷蔵庫１００では、冷却ファン４Ｂを運転することで野菜室４に隣接する室から受け取る冷熱量を増大させることができる。なお、ここでは、説明の便宜上、製氷室２を例として説明したが、その他の室も同様のことが成立する。
【００４１】
実施の形態２．
図７は、本実施の形態２に係る冷蔵庫２００の断面図である。
図８は、本実施の形態２に係る冷蔵庫２００が備える制御装置２５０のブロック図である。
実施の形態２は、実施の形態１の風路部材４Ａの構成等が異なっている。なお、実施の形態２では、実施の形態１と共通する部分については同じ符号を付し、実施の形態１との相違点を中心に説明するものとする。
【００４２】
冷蔵庫２００は野菜室４に設けられた風路部材４４Ａが設けられている。そして、野菜室４には、第１の風路Ｒ３１と、第２の風路Ｒ３２とが形成されている。風路部材４４Ａは、野菜室４の奥面部から野菜室４の上面（仕切板７Ｂの下面）へ沿う流れと、野菜室４の奥面部を沿いながら下側に向かう流れとが分岐するように構成されている。この風路部材４４Ａは、第１の風路部材４４Ａ１と、第２の風路部材４４Ａ２とを含む。
【００４３】
第１の風路部材４４Ａ１は、野菜室４内の上部に形成され、仕切板７Ｂの下面に対向するように設けられている。第２の風路部材４４Ａ２は、野菜室４内に形成され、野菜室４の奥面に対向するように設けられている。
【００４４】
第１の風路Ｒ３１は、第１の風路部材４４Ａ１と仕切板７Ｂの下面との間に形成されている。この第１の風路Ｒ３１は、冷却ファン４４Ｂを通過して上側に向かう空気が流れる。第２の風路Ｒ３２は、第２の風路部材４４Ａ２と野菜室４の奥面との間に形成されている。第２の風路Ｒ３２は、冷却ファン４４Ｂを通過して下側に向かう空気が流れる。つまり、冷却ファン４４Ｂを通過した空気の一部は第１の風路Ｒ３１に流れ、冷却ファン４４Ｂを通過した空気の他部は第２の風路Ｒ３２に流れる。
【００４５】
冷却ファン４４Ｂは、第１の風路Ｒ３１の最上流部分であって、第２の風路Ｒ３２の最上流部分に対応する冷気流入口４４Ｃに配置されている。第１の風路Ｒ３１は、冷気の入口としての冷気流入口４４と、冷気の出口としての冷気流出口４４Ｄ１とを含む。また、第２の風路Ｒ３２は、冷気の入口としての冷気流入口４４と、冷気の出口としての冷気流出口４４Ｄ２とを含む。
【００４６】
冷蔵庫２００は、野菜室４に設けられ、第１の風路Ｒ３１を開閉するダンパーＤ３を備えている。ダンパーＤ３を備えていることにより、第１の風路Ｒ３１及び第２の風路Ｒ３２に空気を流す状態（ダンパーＤ３が開の状態）と、第２の風路Ｒ３２にだけ空気を流す状態（ダンパーＤ３が閉の状態）とを切り替えることができ、野菜室４の温度調整をきめ細やかに行うことができる。つまり、野菜室４をより冷却したい場合には、制御装置２５０は、ダンパーＤ３を開とする。これにより、第１の風路Ｒ３１に空気を流して仕切板７Ｂから冷熱を受け取るとともに、第２の風路Ｒ３２に空気を流して仕切板７Ｃから冷熱を受け取ることができる。また、野菜室４をそこまで冷却する必要がない場合には、制御装置２５０は、ダンパーＤ３を閉とする。これにより、仕切板７Ｃの冷熱を中心として野菜室４を冷却することになるので、野菜室４が冷えすぎることを避けることができる。
【００４７】
実施の形態３．
図９は、本実施の形態３に係る冷蔵庫３００の断面図である。
図１０は、本実施の形態３に係る冷蔵庫３００が備える制御装置３５０のブロック図である。
実施の形態３では実施の形態１とは異なり、冷却器８８Ｂが冷凍室５の上部に配置された構成となっている。なお、実施の形態３では、実施の形態１と共通する部分については同じ符号を付し、実施の形態１との相違点を中心に説明するものとする。
【００４８】
ここで、図９に示す冷却器２７が本発明における第１の冷却器に対応する。
図９に示す冷却器８８Ｂが本発明における第２の冷却器に対応する。
図９に示す冷却器室ＲＭ１が本発明における第１の冷却器室に対応する。
図９に示す冷却器室ＲＭ８２が本発明における第２の冷却器室に対応する。
図９に示す冷却風路Ｒ３及び冷却風路Ｒ４が本発明における第１の冷却風路に対応し、図９に示す冷却風路Ｒ８６及び冷却風路Ｒ８７が本発明における第２の冷却風路に対応する。
図９に示す冷却ファン５１が上側冷却ファンに対応し、図９に示す冷却ファン８４Ｂが下側冷却ファンに対応する。
【００４９】
冷蔵庫３００は、冷却器８８Ｂを含む。冷却器８８Ｂは仕切板７Ｂと冷凍室５との間に配置されている。冷却器８８Ｂは、野菜室４の下側に配置された冷却器室ＲＭ８２に設けられている。冷却器室ＲＭ８２は水平方向に延びるように形成されている。そして、冷却器８８Ｂも水平方向に延びるように配設されている。
冷却風路Ｒ８６は、冷却器室ＲＭ８２と冷凍室５とを連通する風路である。冷却風路Ｒ８６を流れた冷気は冷凍室５へ流出する。冷却風路Ｒ８７は、冷凍室５と冷却器室ＲＭ８２とを連通する風路である。
冷却ファン８４Ｂは、冷却器室ＲＭ８２、冷却風路Ｒ８６又は冷却風路Ｒ８７に設けられている。本実施の形態では冷却器室ＲＭ８２に冷却ファン８４Ｂが設けられている。
【００５０】
実施の形態３の構成では、冷却器室ＲＭ８２を形成する分、仕切板７Ｃの厚みが小さくしないと、冷蔵庫１００の野菜室４の容積又は冷凍室５の容積が小さくなってしまう。このため、冷凍室５と野菜室４との断熱量が小さくなりすぎて、野菜室４が冷えすぎてしまう可能性がある。このため、冷蔵庫３００の仕切板７Ｃ内には、真空断熱材１４ｅが設けられている。このため、仕切板７Ｃの厚みを小さくしても、冷凍室５と野菜室４との断熱を確保することができ、野菜室４が冷えすぎることを抑制することができる。
【００５１】
実施の形態３の構成では、冷却器８８Ｂの姿勢が横置きとなるので、冷蔵庫１００外との断熱面面積が減少して熱漏洩が減少するだけでなく、冷却器８８Ｂを冷凍室５の上側に移動することになるので冷凍室５内の貯蔵スペースが増大する。
【符号の説明】
【００５２】
１  冷蔵室、１Ａ  開口部、１Ｂ  壁面部、１ａ  冷蔵室左扉、１ｂ  冷蔵室右扉、２  製氷室、２ａ  製氷室扉、３  切替室、３ａ  切替室扉、４  野菜室、４Ａ  風路部材、４Ａ１  第１の部材、４Ａ２  第２の部材、４Ａ３  第３の部材、４Ｂ  冷却ファン、４Ｃ  冷気流入口、４Ｄ  冷気流出口、４Ｆ１  奥面部、４Ｆ２  側面部、４Ｆ３  側面部、４ａ  野菜室扉、５  冷凍室、５Ａ  壁面部、５ａ  冷凍室扉、７Ａ  仕切板、７Ｂ  仕切板、７Ｃ  仕切板、９  内箱、１０  外箱、１２  操作パネル、１４ａ  天井部真空断熱材、１４ｂ  真空断熱材、１４ｃ  真空断熱材、１４ｄ  真空断熱材、１４ｅ  真空断熱材、２１  圧縮機、２２  凝縮器、２３  凝縮パイプ、２４  キャビネットパイプ、２５  キャピラリーチューブ、２６  三方弁、２７  冷却器、２８  冷却器、２９  吸入管、４４  冷気流入口、４４Ａ  風路部材、４４Ａ１  第１の風路部材、４４Ａ２  第２の風路部材、４４Ｂ  冷却ファン、４４Ｃ  冷気流入口、４４Ｄ１  冷気流出口、４４Ｄ２  冷気流出口、５０  制御装置、５０Ａ  アクチュエータ制御部、５０Ｂ  判定部、５１  冷却ファン、５２  冷却ファン、８４Ｂ  冷却ファン、８８Ｂ  冷却器、１００  冷蔵庫、１００Ａ  冷蔵庫筐体、２００  冷蔵庫、２５０  制御装置、３００  冷蔵庫、３５０  制御装置、Ｄ１  ダンパー、Ｄ２  ダンパー、Ｄ３  ダンパー、Ｒ  機械室、Ｒ１  冷却風路、Ｒ２  冷却風路、Ｒ３  冷却風路、Ｒ３１  第１の風路、Ｒ３２  第２の風路、Ｒ４  冷却風路、Ｒ５  冷却風路、Ｒ６  冷却風路、Ｒ７  冷却風路、Ｒ８６  冷却風路、Ｒ８７  冷却風路、ＲＣ  冷媒回路、ＲＭ１  冷却器室、ＲＭ２  冷却器室、ＲＭ８２  冷却器室、ｄ１  温度センサ、ｄ２  温度センサ、ｄ３  温度センサ、ｄ４  温度センサ、ＬＴＰ１  低温面、ＬＴＰ２  低温面。
【図１】
2018009730.tif 000003
【図２】
2018009730.tif 000004
【図３】
2018009730.tif 000005
【図４】
2018009730.tif 000006
【図５】
2018009730.tif 000007
【図６】
2018009730.tif 000008
【図７】
2018009730.tif 000009
【図８】
2018009730.tif 000010
【図９】
2018009730.tif 000011
【図１０】
2018009730.tif 000012